(57)【要約】【課題】安価かつ簡易に、輝度向上を実現したバックライトユニット、およびそれを搭載する液晶表示装置等を提供する。【解決手段】導光板１１は、光を屈折させるプリズム片１５を天面１２に含ませるとともに、光を拡散させるシボパターンを底面１３に含ませている。さらに、透過シート群ＧＲは、光を屈折させるシート用のプリズム片２５・３５・４５を含むことで一面をプリズム面にしている複数の光学シート２１・３１・４１を含んでいる。そして、導光板１１の天面１２からの光を透過させる主第１光学シート２１は、プリズム面２１ｐの裏面を天面１２に向けており、底面１３からの光を透過させる副光学シート４１は、プリズム面４１ｐを底面１３に向けている。【選択図】図１
2009008784.tif 000002
【特許請求の範囲】
【請求項１】
受光面から進入する光源からの光を内部伝達させ、対向配置の第１出射面および第２
出射面を介して外部に出射させる導光板と、
上記導光板から出射する光を透過させる透過シート群と、
を含むバックライトユニットにあって、
上記導光板は、上記光を屈折させる導光板用第１プリズム片を上記第１出射面に含ませるとともに、上記光を拡散させるシボパターンを上記第２出射面に含ませており、
上記透過シート群には、上記光を屈折させるシート用プリズム片を含むことで一面をプリズム面にしている偏向シートが複数含まれており、
第１出射面からの光を透過させる上記偏向シートを第１偏向シートとすると、その第１偏向シートは、プリズム面の裏面を第１出射面に向けており、
第２出射面からの光を透過させる上記偏向シートを第２偏向シートとすると、その第２偏向シートは、プリズム面を第２出射面に向けている、
バックライトユニット。
【請求項２】
受光面から進入する光源からの光を内部伝達させ、対向配置の第１出射面および第２
出射面を介して外部に出射させる導光板と、
上記導光板から出射する光を透過させる透過シート群と、
を含むバックライトユニットにあって、
上記導光板は、上記光を屈折させる導光板用第１プリズム片を上記第１出射面に含ませるとともに、上記第２出射面に導光板用第２プリズム片を含ませており、
上記透過シート群には、上記光を屈折させるシート用プリズム片を含むことで一面をプリズム面にしている偏向シートが複数含まれており、
第１出射面からの光を透過させる上記偏向シートを第１偏向シートとすると、その第１偏向シートは、プリズム面の裏面を第１出射面に向けており、
第２出射面からの光を透過させる上記偏向シートを第２偏向シートとすると、その第２偏向シートは、プリズム面を第２出射面に向けている、
バックライトユニット。
【請求項３】
上記第１出射面から進行する光を透過させつつ拡散させ、上記第１偏向シートに導く第１拡散シートが含まれる請求項１または２にバックライトユニット。
【請求項４】
上記第１偏向シートから進行する光を透過させる偏向シートを第３偏向シートとすると、その第３偏向シートが、プリズム面の裏面を第１偏向シートに向けている請求項１〜３のいずれか１項に記載のバックライトユニット。
【請求項５】
上記第１偏向シートにおけるシート用プリズム片は、線状でかつ並列しており、その並列方向をＦ１方向とするとともに、
上記第３偏向シートにおけるシート用プリズム片は、線状でかつ並列しており、その並列方向をＦ２方向とすると、
第３偏向シートでの上記Ｆ１方向と、上記Ｆ２方向とが直交している請求項４に記載のバックライトユニット。
【請求項６】
上記第２偏向シートにおけるプリズム面の裏側に、第２偏向シートから進行してくる光を透過させつつ拡散させる第２拡散シートが含まれている請求項１〜５のいずれか１項に記載のバックライトユニット。
【請求項７】
上記第１出射面に位置する導光板用第１プリズム片は線状であり、その線状方向をＤ２方向とするとともに、
上記第１出射面にて、上記受光面に対する直交方向を基準方向Ｍとすると、
以下の条件式（１）を満たす導光板用第１プリズム片が、少なくとも１つは存在する請求項１〜６のいずれか１項に記載のバックライトユニット；
０°≦θ１≦１０°  …  条件式（１）
ただし、
θ１：Ｄ２方向と基準方向Ｍとで成す最小角度
である。
【請求項８】
上記第１偏向シートに含まれるシート用プリズム片は線状でかつ並列しており、その並列方向をＦ１方向とすると、
第１偏向シートに、以下の条件式（２）を満たすシート用プリズム片が、少なくとも１つは存在する請求項１〜７のいずれか１項に記載のバックライトユニット；
８０°≦θ２≦９０°  …  条件式（２）
ただし、
θ２：上記第１出射面に位置する導光板用第１プリズム片は線状でかつ並列しており
、その並列方向をＤ１方向とすると、上記第１偏向シートでのＤ１方向と、上
記Ｆ１方向とで成す最小角度
である。
【請求項９】
上記第１偏向シートに含まれるシート用プリズム片は線状でかつ並列しており、その並列方向をＦ１方向とすると、
第１偏向シートに、以下の条件式（３）を満たすシート用プリズム片が、少なくとも１つは存在する請求項１〜７のいずれか１項に記載のバックライトユニット；
３５°≦θ２≦５５°  …  条件式（３）
ただし、
θ２：上記第１出射面に位置する導光板用第１プリズム片は線状でかつ並列しており
、その並列方向をＤ１方向とすると、上記第１偏向シートでのＤ１方向と、上
記Ｆ１方向とで成す最小角度
である。
【請求項１０】
上記第２偏向シートに含まれるシート用プリズム片は線状でかつ並列しており、その並列方向をＦ３方向とすると、
第２偏向シートに、以下の条件式（４）を満たすシート用プリズム片が、少なくとも１つは存在する請求項１〜９のいずれか１項に記載のバックライトユニット；
８０°≦θ３≦９０°  …  条件式（４）
ただし、
θ３：上記第１出射面に位置する導光板用第１プリズム片は線状でかつ並列しており
、その並列方向をＤ１方向とすると、上記第２偏向シートでのＤ１方向と、上
記Ｆ３方向とで成す最小角度
である。
【請求項１１】
上記の第１出射面および第２出射面は、上記受光面を挟持する面であり、
第１出射面と受光面との面関係が交差関係にあり、かつ、第２出射面と受光面との面関係が交差関係にある請求項１〜１０のいずれか１項に記載のバックライトユニット。
【請求項１２】
複数の上記導光板用第１プリズム片が互いに乖離しつつ並列し、
導光板用第１プリズム片同士の間に、平面状の第１出射面が表出している請求項１〜１１のいずれか１項に記載のバックライトユニット。
【請求項１３】
並列する複数の上記導光板用第１プリズム片を大群とすると、
その大群には、互いに異なる配置ピッチを有する複数の導光板用第１プリズム片の小群が含まれている請求項１〜１２のいずれか１項に記載のバックライトユニット。
【請求項１４】
上記光源が発光素子である請求項１〜１３のいずれか１項に記載のバックライトユニット。
【請求項１５】
請求項１〜１３のいずれか１項に記載のバックライトユニットと、
上記第１出射面から進行してくる光を受光することで変調させる第１表示パネルと、
上記第２出射面から進行してくる光を受光することで変調させる第２表示パネルと、
を含む表示装置。
【請求項１６】
請求項１５に記載の表示装置を収容している電子機器。
【発明の詳細な説明】
【技術分野】
【０００１】
本発明は、２方向に光（バックライト光）を出射させるバックライトユニット、およびそれを搭載する表示装置、さらには、その表示装置を搭載する電子機器に関するものである。
【背景技術】
【０００２】
近年、本体を折り畳める折りたたみ方式の携帯電話が普及している。このような携帯電話は、補助的な情報を表示するサブ表示画面と、主たる情報を表示するメイン表示画面とを含む。そして、サブ表示画面は、携帯電話を折りたたんだ状態であっても外部から視認できる箇所に位置し、電波の受信状態やバッテリー残量などを表示する。一方、メイン表示画面は、携帯電話を開けた状態で視認できる箇所に位置し、発信する電話番号等を表示する。
【０００３】
すると、サブ表示画面とメイン表示画面との効率的な配置の一例として、サブ表示画面の裏側とメイン表示画面の裏側とを向かい合わせた携帯電話が挙げられる。特に、サブ表示画面およびメイン表示画面が２つの液晶表示パネルであれば、それら両液晶表示パネルと、２つの液晶表示パネルに光（バックライト光）を供給するバックライトユニットと、を含む液晶表示装置を搭載した携帯電話が望ましい。なぜなら、このような液晶表示装置であれば、１つしかバックライトユニットが含まれないため、携帯電話の薄型に寄与するためである。
【０００４】
このような一例としては、図１２に示されるような、バックライトユニット１８１を搭載する液晶表示装置１８９が挙げられる（特許文献１参照）。この液晶表示装置１８９では、互いに異なる２つの偏光成分のうち、一方を反射させ他方を透過させる偏光分離素子１９１が、導光板１１１の底面１１３に対向するように位置する。
【０００５】
詳説すると、この偏光分離素子１９１は、互いに直交する反射軸１９１ａと透過軸１９１ｂとを有する。そのため、偏光分離素子１９１は、反射軸１９１ａに平行な振動面を有する直線偏光成分を反射させ、第１液晶表示パネル１８２に向けて進行させる一方、透過軸１９１ｂに平行な振動面を有する直線偏光成分を透過させ、第２液晶表示パネル１８３に向けて進行させる。
【０００６】
その上、この液晶表示装置１８９では、導光板１１１と第１液晶表示パネル１８２との間に、拡散シート１５２、プリズムシート１２１、およびプリズムシート１３１が介在している一方、導光板１１１と第２液晶表示パネル１８３との間に、プリズムシート１４１、プリズムシート１４９、および拡散シート１５３が介在している。
【０００７】
そして、このようなプリズムシート１２１・１３１・１４１・１４９は、輝度向上のため、導光板１１１からの光を第１液晶表示パネル１８２および第２液晶表示パネル１８３の表示面に対して垂直方向に進行させる。
【０００８】
【特許文献１】特開２００４−３５４７５１号公報（図１参照）
【発明の開示】
【発明が解決しようとする課題】
【０００９】
ただし、このようなプリズムシート１２１・１３１・１４１・１４９、および偏光分離素子１９１は、高価な部材である。そのため、バックライトユニット１８１のコストアップにつながりかねない。また、偏光分離素子１９１によって、導光板１１１の天面１１２側と底面１１３側とに分けつつ適切な光量で光を進行させる制御は極めて難しい。そのため、かかる液晶表示装置１８９では、十分に輝度向上が図れているとはいいがたい。
【００１０】
本発明は、上記の状況を鑑みてなされたものである。そして、本発明の目的は、安価かつ簡易に、輝度向上を実現したバックライトユニット、およびそれを搭載する液晶表示装置等を提供することにある。
【課題を解決するための手段】
【００１１】
バックライトユニットは、受光面から進入する光源からの光を内部伝達させ、対向配置の第１出射面および第２出射面を介して外部に出射させる導光板と、その導光板から出射する光を透過させる透過シート群と、を含んでいる。
【００１２】
そして、かかるバックライトユニットでは、導光板は、光を屈折させる導光板用第１プリズム片を第１出射面に含ませるとともに、光を拡散させるシボパターンを第２出射面に含ませており、透過シート群には、光を屈折させるシート用プリズム片を含むことで一面をプリズム面にしている偏向シートが複数含まれている。
【００１３】
さらに、このバックライトユニットでは、第１出射面からの光を透過させる偏向シートを第１偏向シートとすると、その第１偏向シートは、プリズム面の裏面を第１出射面に向けており、第２出射面からの光を透過させる偏向シートを第２偏向シートとすると、その第２偏向シートは、プリズム面を第２出射面に向けている。
【００１４】
ただし、かかるバックライトユニットでの導光板は、導光板用第１プリズム片を第１出射面に含ませるとともに、シボパターンを第２出射面に含ませているものに限定されない。例えば、光を屈折させる導光板用第１プリズム片を第１出射面に含ませるとともに、第２出射面に導光板用第２プリズム片を含ませている導光板であってもよい。
【００１５】
また、バックライトユニットでは、第１出射面から進行する光を透過させつつ拡散させ、第１偏向シートに導く第１拡散シートが含まれていると望ましい。
【００１６】
また、バックライトユニットでは、第１偏向シートから進行する光を透過させる偏向シートを第３偏向シートとすると、その第３偏向シートが、プリズム面の裏面を第１偏向シートに向けていると望ましい。
【００１７】
また、バックライトユニットでは、第１偏向シートにおけるシート用プリズム片は、線状でかつ並列しており、その並列方向をＦ１方向とするとともに、第３偏向シートにおけるシート用プリズム片は、線状でかつ並列しており、その並列方向をＦ２方向とすると、第３偏向シートでのＦ１方向と、Ｆ３方向とが直交していると望ましい。
【００１８】
また、バックライトユニットでは、第２偏向シートにおけるプリズム面の裏側に、第２偏向シートから進行してくる光を透過させつつ拡散させる第２拡散シートが含まれていると望ましい。
【００１９】
ところで、バックライトユニットでは、第１出射面に位置する導光板用第１プリズム片は線状であり、その線状方向をＤ２方向とするとともに、第１出射面にて、受光面に対する直交方向を基準方向とすると、以下の条件式（１）を満たす導光板用第１プリズム片が、少なくとも１つは存在すると望ましい。
０°≦θ１≦１０°  …  条件式（１）
ただし、
θ１：Ｄ２方向と基準方向Ｍとで成す最小角度
である。
【００２０】
また、バックライトユニットでは、第１偏向シートに含まれるシート用プリズム片は線状でかつ並列しており、その並列方向をＦ１方向とすると、第１偏向シートに、以下の条件式（２）を満たすシート用プリズム片が、少なくとも１つは存在すると望ましい。
８０°≦θ２≦９０°  …  条件式（２）
ただし、
θ２：第１出射面に位置する導光板用第１プリズム片は線状でかつ並列しており、そ
の並列方向をＤ１方向とすると、第１偏向シートでのＤ１方向と、Ｆ１方向と
で成す最小角度
である。
【００２１】
また、バックライトユニットでは、第１偏向シートに含まれるシート用プリズム片は線状でかつ並列しており、その並列方向をＦ１方向とすると、第１偏向シートに、以下の条件式（３）を満たすシート用プリズム片が、少なくとも１つは存在すると望ましい。
３５°≦θ２≦５５°  …  条件式（３）
ただし、
θ２：第１出射面に位置する導光板用第１プリズム片は線状でかつ並列しており、そ
の並列方向をＤ１方向とすると、第１偏向シートでのＤ１方向と、Ｆ１方向と
で成す最小角度
である。
【００２２】
また、バックライトユニットでは、第２偏向シートに含まれるシート用プリズム片は線状でかつ並列しており、その並列方向をＦ３方向とすると、第２偏向シートに、以下の条件式（４）を満たすシート用プリズム片が、少なくとも１つは存在すると望ましい。
８０°≦θ３≦９０°  …  条件式（４）
ただし、
θ３：第１出射面に位置する導光板用第１プリズム片は線状でかつ並列しており、そ
の並列方向をＤ１方向とすると、第２偏向シートでのＤ１方向と、Ｆ３方向と
で成す最小角度
である。
【００２３】
なお、バックライトユニットでは、第１出射面および第２出射面は、受光面を挟持する面であり、第１出射面と受光面との面関係が交差関係（例えば直交関係）にあり、かつ、第２出射面と受光面との面関係が交差関係（例えば直交関係）にあると望ましい。
【００２４】
また、バックライトユニットでは、複数の導光板用第１プリズム片が互いに乖離しつつ並列し、導光板用第１プリズム片同士の間に、平面状の第１出射面が表出していると望ましい。
【００２５】
また、バックライトユニットでは、並列する複数の導光板用第１プリズム片を大群とすると、その大群には、互いに異なる配置ピッチを有する複数の導光板用第１プリズム片の小群が含まれていると望ましい。
【００２６】
また、バックライトユニットでは、光源が発光素子であると望ましい。
【００２７】
なお、以上のようなバックライトユニットと、第１出射面から進行してくる光を受光することで変調させる第１表示パネルと、第２出射面から進行してくる光を受光することで変調させる第２表示パネルと、を含む表示装置も本発明といえる。
【００２８】
また、そのような表示装置を収容している電子機器も本発明といえる。
【発明の効果】
【００２９】
本発明のバックライトユニットによれば、導光板における第１出射面および第２出射面の両方に、光路を偏向させる加工（プリズム加工またはシボ加工）が施され、さらに、第１出射面からの光を偏向させながら通過させる第１偏向シート、第２出射面からの光を偏向させながら通過させる第２偏向シートも含まれる。そのため、かかるバックライトユニットは、光を偏光分離させるような高価な特別な部材を有さなくても、導光板の両面からの出射光の輝度を向上させる。
【発明を実施するための最良の形態】
【００３０】
［実施の形態１］
実施の一形態について、図面に基づいて説明すれば、以下の通りである。なお、図面によっては便宜上、部材符号、ハッチング等を省略する場合もあるが、かかる場合、他の図面を参照するものとする。また、図面上での黒丸は紙面に対し垂直方向を意味する。
【００３１】
図１１に示すように、液晶表示装置（表示装置）８９は、バックライトユニット８１、第１液晶表示パネル（第１表示パネル）８２、および第２液晶表示パネル（第２表示パネル）８３を含んでいる。
【００３２】
バックライトユニット８１は、第１液晶表示パネル８２および第２液晶表示パネル８３に照射する面状光を生成する。つまり、このバックライトユニット８１は、２方向に光（バックライト光）を出射する照明装置である。したがって、このようなバックライトユニット８１は、両面発光型照明装置とも称される。
【００３３】
かかるバックライトユニット８１は、図１１および図１（バックライトユニット８１の拡大図）に示すように、ＬＥＤ（Light Emitting Diode）５１、導光板１１、拡散シート５２、光学シート２１、光学シート３１、光学シート４１、および拡散シート５３、を含んでいる（なお、拡散シート５２・５３、光学シート２１・３１・４１を透過シート群ＧＲと称す）。
【００３４】
ＬＥＤ（光源、発光素子）５１は点状光源であり、導光板１１の側面に向けて光を出射する。また、光量確保のために、ＬＥＤ５１は複数で並列したアレイ状である（なお、並ＬＥＤ５１の並列方向を並列方向Ｄ１とする）。ただし、図面では一部のＬＥＤ５１のみを表示している。
【００３５】
なお、ＬＥＤ５１は、ＦＰＣ基板５４を介して供給される電流によって駆動する。また、バックライトユニット８１の光源としてはＬＥＤ５１に限定されるものではなく、蛍光管（冷陰極官；Cold Cathode Fluorescent Tube）等の他種の光源であってもよい。ただし、バックライトユニット８１の小型化および薄型化の観点からは、ＬＥＤ５１が望ましい。
【００３６】
また、図１および図１１では、導光板１１の４つの側面１４・・・のうち１つの側面１４のみに、ＬＥＤ５１の光は入射しているが、これに限定されるものではない。すなわち、導光板１１の４つの側面１４・・・の全部、または２つまたは３つの側面１４の面前に、ＬＥＤ５１が配置されていてもよい。
【００３７】
導光板１１は、側面１４をＬＥＤ５１の発光面に対向させることで、かかるＬＥＤ５１からの光を受光する。そして、受光された光は、導光板１１の内部でミキシングされ、面状光として天面（第１出射面）１２および底面（第２出射面）１３から出射する（詳細については後述する）。なお、以降では、天面１２側に位置する部材に“主”、底面１３側に位置する部材に“副”と付す場合がある。
【００３８】
主拡散シート（第１拡散シート）５２は、導光板１１の天面１２を覆うように位置し、天面１２から進行してくる面状光を拡散させて、第１液晶表示パネル８２全域に光をいきわたらせる。
【００３９】
主第１光学シート（第１偏向シート）２１は、主拡散シート５２を覆うように位置することで、その主拡散シート５２から進行してくる光を透過させる。その上、この主第１光学シート２１は、導光板１１の天面１２に対して裏側に向いた面（面２１ｐ）に、光を屈折させる線状のプリズム片（線状プリズム）２５を複数含んでいる。
【００４０】
そのため、これらの並列するプリズム片（主第１光学シート用プリズム片）２５によって、主第１光学シート２１を介して進行する光の放射方向が偏向し、それに起因して、単位面積あたりの発光輝度が向上する。
【００４１】
なお、プリズム片２５の並列方向は、ＬＥＤ５１の並列方向である並列方向Ｄ１と交差（例えば直交）する方向であり、以降では、並列方向Ｆ１と称する。また、この並列方向Ｆ１に交差（例えば直交）する方向に、プリズム片２５は延びているので、この方向を線状方向Ｓ１と称する。
【００４２】
主第２光学シート（第３偏向シート）３１は、主第１光学シート２１を覆うように位置することで、その主第１光学シート２１から進行してくる光を透過させる。その上、この主第２光学シート３１は、主第１光学シート２１同様に、導光板１１の天面１２に対して裏側に向いた面（面３１ｐ）に、光を屈折させる線状のプリズム片３５を複数含んでいる。
【００４３】
そのため、これらの並列するプリズム片（主第２光学シート用プリズム片）３５によって、主第１光学シート２１を介して進行する光の放射方向が偏向し、それに起因して、単位面積あたりの発光輝度が向上する。
【００４４】
なお、プリズム片３５の並列方向は、ＬＥＤ５１の並列方向である並列方向Ｄ１と同方向であり、以降では、並列方向Ｆ２と称する。したがって、この並列方向Ｆ２は、並列方向Ｄ１と交差する並列方向Ｆ１に対して交差する。
【００４５】
また、この並列方向Ｆ２に交差（例えば直交）する方向に、プリズム片３５は延びているので、この方向を線状方向Ｓ２と称する。したがって、この線状方向Ｓ２と線状方向Ｓ１とは交差する関係にある。
【００４６】
副光学シート（第２偏向シート）４１は、導光板１１の底面１３に覆われるように位置し、この底面１３から進行してくる光を透過させる。その上、この副光学シート４１は、導光板１１の底面１３に向かい合った面（面４１ｐ）に、光を屈折させる線状のプリズム片４５を複数含んでいる。
【００４７】
そのため、これらの並列するプリズム片（副光学シート用プリズム片）４５によって、導光板１１の底面１３を介して進行する光の放射特性が偏向し、それに起因して、単位面積あたりの発光輝度が向上する。
【００４８】
なお、プリズム片４５の並列方向は、ＬＥＤ５１の並列方向である並列方向Ｄ１と交差（例えば直交）する方向であり、以降では、並列方向Ｆ３と称する。また、この並列方向Ｆ３に交差（例えば直交）する方向に、プリズム片４５は延びているので、この方向を線状方向Ｓ３と称する。
【００４９】
副拡散シート（第２拡散シート）５３は、副光学シート４１に覆われるように位置し、この副光学シート４１から進行してくる光を拡散させて、第２液晶表示パネル８３全域に光をいきわたらせる。
【００５０】
続いて液晶表示パネルについて説明する。図１１に示すように、第１液晶表示パネル８２および第２液晶表示パネル８３は、ともにバックライトユニット８１からの光（バックライト光）を受光することで表示機能を発揮するパネルである。そして、第１液晶表示パネル８２および第２液晶表示パネル８３は、アクティブマトリックス基板７１・７１、対向基板７２・７２、および偏光板７３・・・を含む。
【００５１】
アクティブマトリックス基板７１・７１は、液晶を制御するＴＦＴ（Thin Film Transistor）等のスイッチング素子や、ソースライン、ゲートライン、画素電極等を含む基板である。一方、対向基板７２・７２は、アクティブマトリックス基板７１・７１に対向して位置する基板であり、カラー表示に要するカラーフィルタ等を含む（なお、ＴＦＴ、カラーフィルタ等は不図示）。そして、これらの基板同士７１・７２（７１・７２）の周縁付近が、枠状のシール部材（不図示）を介して貼り合わされ、これらの隙間に液晶（不図示）が注入される。
【００５２】
偏光板７３・・・は、アクティブマトリックス基板７１および対向基板７２を挟持しており、バックライトユニット８１から供給されるバックライト光の振動を、特定方向に制限する。
【００５３】
そして、第１液晶表示パネル８２および第２液晶表示パネル８３は、不図示のＦＰＣ（Flexible Printed Circuits）基板に実装されたＩＣ（Integrated Circuit；ドレインドライバー、ゲートドライバー等）の制御の下、ＴＦＴで液晶への印加電圧を制御し、かかる液晶を透過するバックライト光の透過率を変化させ、表示画像を調整する。
【００５４】
ここで、導光板１１について図２〜図４を用いて詳説する。かかる導光板１１は板状になっている。そのため、導光板１１の表面には、底面１３、その底面１３に対して対向する天面１２、および、底面１３と天面１２とによって挟持されるように位置する側面１４・・・が位置する。
【００５５】
なお、ＬＥＤ５１の発光面は、側面１４・・・における１面に対向している。そのため、この側面１４は受光面（入射面）１４ａとなる。すると、この受光面１４ａと天面１２との面関係は交差関係（例えば直交関係）となり、かつ、受光面１４ａと底面１３との面関係も交差関係（例えば直交関係）となる。
【００５６】
図２は導光板１１の天面１２を示す斜視図であり、図３は図２のＡ−Ａ’線矢視断面図である。これらの図に示すように、天面１２には、三角柱状になって延びるプリズム片（導光板用第１プリズム片）１５が、ＬＥＤ５１の並列方向Ｄ１と同方向にて並列している。
【００５７】
また、このプリズム片１５は、並列方向Ｄ１に交差（例えば直交）する方向に延びているので、この方向は線状方向Ｄ２と称される。さらに、並列方向Ｄ１および線状方向Ｄ２に対して交差する方向（例えば垂直な方向）は、方向Ｄ３と称される（なお、この方向Ｄ３は、透過シート群ＧＲにおける各シートの重なり方向でもある）。
【００５８】
以上のようなプリズム片１５が天面１２上に形成されていると、天面１２を介して進行する光（面状光）は、並列するプリズム片１５の側面での屈折によって、並列方向Ｄ１に過剰に広がることなく、すなわち、方向Ｄ３に近づくように進行する。その後、かかるように進行する面状光は、主拡散シート５２にて拡散し、主第１光学シート２１を通過する。
【００５９】
このようになっていると、主拡散シート５２によって拡散されつつ、方向Ｄ３に近づくように進行する面状光は、主第１光学シート２１にて並列するプリズム片２５の側面での屈折によって、並列方向Ｆ１に過剰に広がることなく進行する。すると、この面状光は、交差する（例えば直交する）並列方向Ｄ１および並列方向Ｆ１に過剰に広がらないように進行する。
【００６０】
そのため、かかる面状光は、並列方向Ｄ１および並列方向Ｆ１の両方向に対して交差（例えば直交）する方向Ｄ３に極めて近づいて進行することになり（すなわち、集光することになり）、それに起因して、この面状光の単位面積あたりの発光輝度が向上する。
【００６１】
その上、この面状光は、主第１光学シート２１通過後、並列方向Ｆ１に対して交差（例えば直交）する並列方向Ｆ２にプリズム片３５を並べた主第２光学シート３１を通過する。すると、かかる面状光は、並列方向Ｄ１、並列方向Ｆ１、および並列方向Ｆ２の３方向に対して交差（例えば直交）する方向Ｄ３に極めて近づいて進行することになる。その結果、確実に、この面状光の単位面積あたりの発光輝度は向上する。
【００６２】
なお、導光板１１の天面１２（導光板１１のプリズム面１２）を通過する光は、後述の図５の光路図（図２のＢ−Ｂ’線矢視断面からみた光路図）に示すように、導光板１１の底面１３の隆起片１７にて拡散、特に天面１２に向かって拡散進行させられた光と、導光板１１の受光面１４ａから直接天面１２に到達し全反射することなく屈折透過する光と、を含んでいる。
【００６３】
一方、導光板１１の底面１３を示す斜視図である図４と、図３とに示すように、底面１３には、光を拡散させる凸状の隆起片１７が複数散在している（底面１３にシボパターンが形成されている）。詳説すると、導光板１１における受光面１４ａから乖離するにしたがって、分布密度を高くするように隆起片１７は散在している。
【００６４】
このように隆起片１７が散在していると、図５の光路図（一点鎖線が光路）に示すように、受光面１４ａから導光板１１内部に進入した後に、天面１２にて全反射し、受光面１４ａから比較的遠く離れた底面１３に到達する多量の光が効率よく拡散される。そして、このように拡散進行する光のうち、底面１３を介して進行する光(面状光)は、副光学シート４１、さらに副拡散シート５３を通過していく。
【００６５】
また、図６（図５のＣ−Ｃ’線矢視断面からみた光路図）に示すように、導光板１１の天面１２にて、屈折透過することなく、プリズム片１５の２つの側面毎で全反射して屈折進行する光のうち、底面１３を介して進行する光(面状光)も、副光学シート４１、さらに副拡散シート５３を通過していく。
【００６６】
詳説すると、天面１２のプリズム片１５から屈折進行してくる光は、プリズム片１５の並列方向Ｄ１に過剰に広がることなく底面１３を介して進行する（なお、点Ｈは、受光面１４ａから放射しながら線状方向Ｄ２に沿って進行する光の中心点である）。
【００６７】
そして、以上のような底面１３を介する面状光は、まず、副光学シート４１にて並列するプリズム片４５の側面での屈折によって、並列方向Ｆ３に過剰に広がることなく進行し、さらに、副拡散シート５３にて拡散される。
【００６８】
特に、図６に示すように、天面１２のプリズム片１５によって並列方向Ｄ１に過剰に広がらない光は、さらに、副光学シート４１のプリズム片４５によって並列方向Ｆ３に過剰に広がらず進行しているので、並列方向Ｄ１および並列方向Ｆ３の両方向に対して交差（例えば直交）する方向Ｄ３に極めて近づいて進行する。そのため、この面状光の単位面積あたりの発光輝度が向上する。
【００６９】
つまり、以上のようなバックライトユニット８１における導光板１１は、光を屈折させるプリズム片１５を天面１２に含ませるとともに、光を拡散させるシボパターンを底面１３に含ませている。さらに、透過シート群ＧＲは、光を屈折させるシート用のプリズム片２５・３５・４５を含むことで一面をプリズム面２１ｐ・３１ｐ・４１ｐにしている複数の光学シート２１・３１・４１を含んでいる。
【００７０】
そして、導光板１１の天面１２からの光を透過させる主第１光学シート２１は、プリズム面２１ｐの裏面を天面１２に向けており、底面１３からの光を透過させる副光学シート４１は、プリズム面４１ｐを底面１３に向けている。
【００７１】
このようになっていると、天面１２を通過する面状光は、互いで交差する方向（並列方向Ｄ１・並列方向Ｆ１）に並列した天面１２自身のプリズム片１５と主第１光学シート２１のプリズム片２５とによる屈折で、方向Ｄ３（例えば天面１２に対する垂直方向）に近づくようになる。その結果、この面状光の単位面積あたりの発光輝度は向上する（光の利用効率が向上する）。
【００７２】
さらに、底面１３を通過する面状光は、底面１３自身に位置する隆起片１７によって拡散されつつ外部に進行する。その上、副光学シート４１にて並列するプリズム片４５の側面での屈折によって、並列方向Ｆ３に過剰に広がることなく進行する（例えば底面１３に対する垂直方向に進行する）。その結果、この面状光は、単位面積あたりの発光輝度を向上させつつ、拡散して均斉度の整った光となる。
【００７３】
つまり、このバックライトユニット８１は、出射する２方向の光の発光輝度を向上させている。
【００７４】
なお、図１に示すように、導光板１１の天面１２と主第１光学シート２１との間に主拡散シート５２が介在していれば、主第１光学シート２１に到達する光の拡散度合いは比較的高い。そのため、かかる光が主第１光学シート２１を通過すると、その光に輝度ムラは生じない（ひいては、照明角度依存性の改善にもつながる）。
【００７５】
また、主第１光学シート２１から進行する光を透過させる主第２光学シート３１が、プリズム面３１ｐの裏面を主第１光学シート２１に向けていると、天面１２からの面状光は、プリズム片１５・２５・３５によって屈折されることになる。さらに、主第２光学シート３１に重畳するプリズム片２５の並列方向Ｆ１と、主第２光学シート３１におけるプリズム片３５の並列方向Ｆ２とが直交していると望ましい。
【００７６】
このようになっていると、プリズム片１５・２５・３５の並列方向Ｄ１、並列方向Ｆ１、および並列方向Ｆ２では、並列方向Ｄ１・Ｆ２が並列方向Ｆ１に対して交差している。そのため、プリズム片１５・２５・３５を通過する光は、並列方向Ｄ１および並列方向Ｆ１に対する交差方向でもあり、並列方向Ｆ２および並列方向Ｆ１に対する交差方向でもある方向Ｄ３に、極めて近づいて進行することになる。その結果、確実に、この面状光の単位面積あたりの発光輝度は向上する（例えば、斜視によっても輝度不足や輝度ムラが発生しない）。
【００７７】
また、副光学シート４１におけるプリズム面４１ｐの裏側には、この副光学シート４１から進行してくる光を拡散する副拡散シート５３が含まれている。このようになっていると、導光板１１の底面１３から比較的高い均斉度で出射する光が、副拡散シート５３を通過することで、より一層均斉度を高める。また、このようなバックライトユニット８１は、導光板１１の底面１３側に、光学シートを１枚しか含めていない（副光学シート４１のみである）。そのため、バックライトユニット８１のコストダウンも図れる。
【００７８】
［実施の形態２］
実施の形態２について説明する。なお、実施の形態１で用いた部材と同様の機能を有する部材については同一の符号を付記し、その説明を省略する。この実施の形態２では、望ましいプリズム片の位置等について説明する。
【００７９】
例えば、導光板１１の天面１２に位置するプリズム片１５は、並列方向Ｄ１にて並列するとともに、この並列方向Ｄ１に交差する線状方向Ｄ２に延びている。そこで、天面１２での受光面１４ａからの直交方向を基準方向Ｍとすると、図７Ａ〜図７Ｃに示すように、以下の条件式（１）を満たすプリズム片１５が、少なくとも１つは存在しているとよい（なお、図７Ａは導光板１１の天面１２の平面図である）。
【００８０】
０°≦θ１≦１０°  …  条件式（１）
ただし、
θ１：線状方向Ｄ２と基準方向Ｍとで成す最小角度
である。
【００８１】
この条件式（１）は、プリズム片１５が、基準方向Ｍに対して、誤差１０°の範囲に位置することを意味する。詳説すると、図７Ｂに示すように、基準方向Ｍから時計回りでＧ１方向に至るまでの回転角（θ１）が１０°以内（便宜上、＋１０°以内と称す)、または、図７Ｃに示すように、基準方向Ｍから反時計回りでＧ１方向に至るまでの回転角（θ１）が１０°以内（便宜上、−１０°以内と称す)であることを意味する。
【００８２】
そして、θ１が、条件式（１）での上限値を超え、または下限値未満であると、導光板１１の受光面１４ａから進行してくる光のうちの大部分が、プリズム片１５の側面にて全反射せずに外部に屈折進行してしまい、導光板１１の内部でミキシングされる光量が減少してしまうという不具合が生じる。しかしながら、θ１が条件式（１）の範囲内であれば、かかる不具合が生じない。
【００８３】
また、導光板１１のプリズム片１５の並列方向Ｄ１と、主第１光学シート２１のプリズム片２５の並列方向Ｆ１との関係は、図８（主第１光学シート２１のプリズム面２１ｐの平面図）に示すようになっていると望ましい。
【００８４】
詳説すると、主第１光学シート２１に含まれるプリズム片２５は線状でかつ並列しており、その並列方向を並列方向Ｆ１とすると、主第１光学シート２１に、以下の条件式（２）を満たすプリズム片２５が、少なくとも１つは存在していると望ましい。
【００８５】
８０°≦θ２≦９０°  …  条件式（２）
ただし、
θ２：導光板１１の天面１２に位置するプリズム片１５は線状でかつ並列しており
、その並列方向を並列方向Ｄ１とすると、主第１光学シート２１での並列方向
Ｄ１（主第１光学シート２１に重畳した並列方向Ｄ１）と、並列方向Ｆ１とで
成す最小角度
である。
【００８６】
主第１光学シート２１は、導光板１１における天面１２のプリズム片１５を介して進行してくる光を通過させる。ただし、天面１２のプリズム片１５は、並列方向Ｄ１に沿って並列している。そのため、天面１２を介して進行してくる光は、過剰に並列方向Ｄ１に広がることなく進行する。
【００８７】
すると、この並列方向Ｄ１と同方向（線状方向Ｓ１）に延びたプリズム片２５を、並列方向Ｄ１に対して交差する方向（並列方向Ｆ１）に並列させたプリズム面２１ｐを有する主第１光学シート２１が望ましいことになる。このようになっていると、過剰に並列方向Ｄ１に広がらずに進行してくる光が、主第１光学シート２１を通過することで、さらに、この並列方向Ｄ１に交差する方向である並列方向Ｆ１に広がらなくなるためである。
【００８８】
ただし、このような場合、主第１光学シート２１のプリズム片２５と導光板１１のプリズム片１５との間で干渉が起きることがある。また、主第１光学シート２１のプリズム片２５と副光学シート４１のプリズム片４５との間、あるいは、主第１光学シート２１のプリズム片２５と第１液晶表示パネル８２・第２液晶表示パネル８３の各画素との間でも干渉が起きることもある。
【００８９】
そこで、かかるような干渉という事態を回避させたい場合、θ２は、条件式（２）を満たすようにしている。ただし、以上のような干渉防止の観点から望ましいとされるθ２の角度は、条件式（２）に限定されるものではなく、下記の条件式（３）であってもかまわない（なお、望ましくは、θ２が４５°であるとよい）。
３５°≦θ２≦５５°  …  条件式（３）
【００９０】
なお、条件式（２）（３）では、角度をプリズム片１５・２５の並列方向Ｄ１・Ｆ１で定義したが、プリズム片１５・２５の線状方向（稜線方向）Ｄ２・Ｓ１で定義してもかまわない。すなわち、主第１光学シート２１に含まれるプリズム片２５は線状になっており、その線状方向を線状方向Ｓ１とすると、主第１光学シート２１に、以下の条件式（２）’・（３）’を満たすプリズム片２５が、少なくとも１つは存在していると望ましい。
【００９１】
８０°≦θ’２≦９０°  …  条件式（２）’
３５°≦θ’２≦５５°  …  条件式（３）’
ただし、
θ’２：導光板１１の天面１２に位置するプリズム片１５は線状で、その線状方向を
線状方向Ｄ２とすると、主第１光学シート２１での線状方向Ｄ２（主第１光            学シート２１に重畳した線状方向Ｄ２）と、線状方向Ｓ１とで成す最小角度
である。
【００９２】
また、導光板１１のプリズム片１５の並列方向Ｄ１と、副光学シート４１のプリズム片４５の並列方向Ｆ３との関係は、図９（副光学シート４１のプリズム面４１ｐの平面図）に示すようになっていると望ましい。
【００９３】
詳説すると、副光学シート４１に含まれるプリズム片４５は線状でかつ並列しており、その並列方向Ｆ３とすると、その副光学シート４１に、以下の条件式（４）を満たすプリズム片４５が、少なくとも１つは存在していると望ましい。
【００９４】
８０°≦θ３≦９０°  …  条件式（４）
ただし、
θ３：導光板１１の天面１２に位置するプリズム片１５は線状でかつ並列しており
、その並列方向を並列方向Ｄ１とすると、副光学シート４１での並列方向Ｄ１
（副光学シート４１に重畳した並列方向Ｄ１）と、並列方向Ｆ３とで成す最小          角度
である。
【００９５】
導光板１１の底面１３を通過する光には、導光板１１の天面１２にて、屈折透過することなく、プリズム片１５の２つの側面毎で全反射して屈折進行してくる光が含まれる。このような光は、プリズム片１５の並列方向Ｄ１に過剰に広がることなく底面１３に向かってくる。そこで、このような光のさらなる偏向度合い（集光度合い）を高めるべく、並列方向Ｄ１に対して直交に近い角度である条件式（４）のθ３が満たされると望ましい。
【００９６】
このようになっていると、天面１２のプリズム片１５によって並列方向Ｄ１に過剰に広がらない光は、さらに、副光学シート４１のプリズム片４５によって並列方向Ｆ３に過剰に広がらず進行するからである。すなわち、並列方向Ｄ１および並列方向Ｆ３の両方向に対して交差（例えば直交）する方向Ｄ３に、光が集まりやすくなり、面状光の単位面積あたりの発光輝度が向上する。
【００９７】
なお、条件式（４）では、角度をプリズム片１５・４５の並列方向Ｄ１・Ｆ３で定義したが、プリズム片１５・４５の線状方向（稜線方向）Ｄ２・Ｓ３で定義してもかまわない。すなわち、副光学シート４１に含まれるプリズム片４５は線状になっており、その線状方向をＳ３とすると、その副光学シート４１に、以下の条件式（４）’を満たすプリズム片４５が、少なくとも１つは存在していると望ましい。
【００９８】
８０°≦θ’３≦９０°  …  条件式（４）’
ただし、
θ’３：導光板１１の天面１２に位置するプリズム片１５は線状で、その線状方向を
線状方向Ｄ２とすると、副光学シート４１での線状方向Ｄ２（副光学シート            ４１に重畳した線状方向Ｄ２）と、線状方向Ｓ３とで成す最小角度
である。
【００９９】
なお、以上の条件式（１）〜（４）を満たすプリズム片１５・２５・４５のみが集まって、プリズム面が形成されていると最も望ましいが、条件（１）〜（４）を満たすプリズム片１５・２５・４５が少なくとも１つ以上あるだけでも、各条件式（１）〜（４）に応じた作用効果が奏ずるのでよいといえる。
【０１００】
［その他の実施の形態］
なお、本発明は上記の実施の形態に限定されず、本発明の趣旨を逸脱しない範囲で、種々の変更が可能である。
【０１０１】
例えば、導光板１１の天面１２における複数のプリズム片１５は、隙間なく並列している必要はない。例えば、プリズム片１５は、互いに乖離しつつ並列し、プリズム片同士１５・１５の間に、平面状の天面１２が表出していてもよい。
【０１０２】
なぜなら、このようなプリズム片１５・１５同士の間の平面状の部分（平坦部）は、プリズム片１５とは異なる方向に光を屈折させることから、導光板１１内での光量調整の自由度が高まるためである。すなわち、導光板１１の天面１２におけるプリズム片１５の占有率と平坦部の占有率とが適宜変化することで、導光板１１は、様々な光量調整を行える。
【０１０３】
また、プリズム片１５の配置ピッチは一定である必要もない。すなわち、天面１２にて並列する複数のプリズム片１５を大群とすると、その大群には、互いに異なる配置ピッチを有する複数のプリズム片１５の小群が含まれていてもよい。
【０１０４】
なぜなら、プリズム片１５の配置ピッチが一定でなければ（ランダムであれば）、導光板１１と、主第１光学シート２１、主第２光学シート３１、または副光学シート４１との間での干渉が生じにくくなるためである。
【０１０５】
また、天面１２にて多量の光が到達する部分、例えば図６での点Ｈ近傍の天面１２に位置するプリズム片１５の配置ピッチが、他の部分のプリズム片１５の配置ピッチよりも広くなっていてもよい。その比較的広い配置ピッチのプリズム片１５の小群が、多量の光を広げるように屈折させるからである。
【０１０６】
ところで、図１０Ａ（図１の主第１光学シート２１・主第２光学シート３１の拡大斜視図；破線部分参照）および図１０Ｂ（図１の副光学シート４１の拡大斜視図；破線部分参照）に示すような、プリズム片２５・３５・４５のプリズム角度δ１・δ２・δ３（プリズム片の側面同士によって成す角度）は、特に限定されるものではない。
【０１０７】
ただし、δ１・δ２は８０°以上１００°以下が望ましく（８０°≦δ１≦１００°、８０°≦δ２≦１００°）、最も望ましい角度は９０°といえる。また、δ３は５０°以上９０°以下が望ましく（５０°≦δ３≦９０°）、最も望ましい角度は７０°といえる。
【０１０８】
特に、プリズム角度が比較的大きいと（例えば鈍角であると）、プリズム片の側面で光が広げるように屈折しやすい。そこで光の集中しやすい部分に対応するプリズム片のプリズム角度を比較的大きくすることで、光をより広く発散させてもよい。
【０１０９】
また、導光板１１の底面１３に形成されるシボパターンの種類は多数存在し、限定されるものではない。例えば、シボパターンは、凸状の隆起片１７であってもよいし（図３参照）、凹状の窪み片であってもよい。また、曲面を有することで球形の隆起片１７または窪み片でもよいし、多角的な立体の隆起片１７または窪み片であってもよい。要は、導光板１１を成形する金型（ブラスト加工された金型等）や、導光板１１に対する機械加工によって、種々の形状のシボパターンが形成される。
【０１１０】
なお、シボパターンは、導光板１１の底面１３に施されていたがこれに限定されるものではない。すなわち、天面１２にシボパターンが形成されていてもよい。また、シボパターンは、プリズム片１５と併用されてもよい。
【０１１１】
すなわち、天面１２および底面１３の少なくとも一方が、シボ加工の施されたプリズム面になっていてもよい。ただし、主第１光学シート２１・主第２光学シート３１を通過するように光を出射させる天面１２は、シボ加工の施されたプリズム面ではなく、シボ加工のみを施された（シボパターンのみを有する）面であってもよい。
【０１１２】
また、図４では、シボパターンの分布密度は、導光板１１の受光面１４ａから乖離するにしたがって高くなっているが、これに限定されるものではない。例えば、第１液晶表示パネル８２における中心付近の輝度が高い必要があるのであれば、その中心付近に対応する導光板１１の底面１３の中心付近が、シボパターンの分布密度の比較的高い部分になっていればよい。
【０１１３】
また、ＬＥＤ５１・５１同士の間に対応する導光板１１の受光面１４ａに、シボパターンが形成されてもよい。このようになっていると、ＬＥＤ５１・５１同士の間に対応するがゆえに、少量の光しか到達しない受光面１４ａの一部分が、シボパターンを有することになる。そのため、かかるシボパターンによる光の拡散によって、バックライト光が暗部を含まなくなる（バックライト光の輝度ムラが消失する）。
【０１１４】
なお、以上のような液晶表示装置８９は、電子機器、例えば携帯電話やＰＤＡ（Personal Digital Assistant）に搭載される。しかし、これに限定されるものではない。ただし、有効な一例としては、折りたたみ式の携帯電話にて、主たる情報を表示するメイン表示画面に第１液晶表示パネル８２、補助的な情報を表示するサブ表示画面に第２液晶表示パネル８３、を対応させると望ましい。
【０１１５】
最後に、上記で開示された技術を適宜組み合わせて得られる実施形態についても、本発明の技術的範囲に含まれることはいうまでもない。
【図面の簡単な説明】
【０１１６】
【図１】は、液晶表示装置におけるバックライトユニットの拡大図である。
【図２】は、バックライトユニットにおける導光板の天面を示す斜視図である。
【図３】は、図２のＡ−Ａ’線矢視断面図である。
【図４】は、バックライトユニットにおける導光板の底面を示す斜視図である。
【図５】は、図２のＢ−Ｂ’線矢視断面からみた光路図である。
【図６】は、図５のＣ−Ｃ’線矢視断面からみた光路図である。
【図７】では、（Ａ）は導光板の天面の平面図であり、（Ｂ）は基準方向Ｍと線状方向Ｄ２との交差状態を示す説明図の一例であり、（Ｃ）は（Ｂ）とは異なる基準方向Ｍと線状方向Ｄ２との交差状態を示す説明図の一例である。
【図８】は、主第１光学シートのプリズム面の平面図である。
【図９】は、副光学シートのプリズム面の平面図である。
【図１０】では、（Ａ）は主第１光学シートおよび主第２光学シートの拡大斜視図であり、（Ｂ）は副光学シートの拡大斜視図である。
【図１１】は、液晶表示装置の分解斜視図である。
【図１２】は、従来の液晶表示装置の分解斜視図である。
【符号の説明】
【０１１７】
１１    導光板
１２    導光板の天面（第１出射面）
１３    導光板の底面（第２出射面）
１４    導光板の側面
１４ａ  導光板の受光面
１５    導光板に含まれるプリズム片（導光板用第１プリズム片）
ＧＲ    透過シート群
２１    主第１光学シート（第１偏向シート）
２１ｐ  主第１光学シートのプリズム面
２５    主第１光学シートに含まれるプリズム片（シート用プリズム片）
３１    主第２光学シート（第３偏向シート）
３１ｐ  主第２光学シートのプリズム面
３５    主第２光学シートに含まれるプリズム片（シート用プリズム片）
４１    副光学シート（第２偏向シート）
４１ｐ  副光学シートのプリズム面
４５    副光学シートに含まれるプリズム片（シート用プリズム片）
５１    ＬＥＤ（光源）
５２    主拡散シート（第１拡散シート）
５３    副拡散シート（第２拡散シート）
７１    アクティブマトリックス基板
７２    対向基板
７３    偏光板
８１    バックライトユニット
８２    第１液晶表示パネル（第１表示パネル）
８３    第２液晶表示パネル（第２表示パネル）
８９    液晶表示装置（表示装置）
Ｄ１    ＬＥＤの並列方向、導光板に含まれるプリズム片の並列方向（Ｄ１方向）
Ｄ２    導光板に含まれるプリズム片の線状方向（Ｄ２方向）
Ｄ３    並列方向Ｄ１および線状方向Ｄ２に対して垂直な方向（Ｄ３方向）
Ｍ      天面での受光面からの直交方向（基準方向Ｍ）
Ｆ１    主第１光学シートに含まれるプリズム片の並列方向（Ｆ１方向）
Ｓ１    主第１光学シートに含まれるプリズム片の線状方向（Ｓ１方向）
Ｆ２    主第２光学シートに含まれるプリズム片の並列方向（Ｆ２方向）
Ｓ２    主第２光学シートに含まれるプリズム片の線状方向（Ｓ２方向）
Ｆ３    副光学シートに含まれるプリズム片の並列方向（Ｆ３方向）
Ｓ３    副光学シートに含まれるプリズム片の線状方向（Ｓ３方向）
【図１】
2009008784.tif 000003
【図２】
2009008784.tif 000004
【図３】
2009008784.tif 000005
【図４】
2009008784.tif 000006
【図５】
2009008784.tif 000007
【図６】
2009008784.tif 000008
【図７】
2009008784.tif 000009
【図８】
2009008784.tif 000010
【図９】
2009008784.tif 000011
【図１０】
2009008784.tif 000012
【図１１】
2009008784.tif 000013
【図１２】
2009008784.tif 000014